(57)【特許請求の範囲】
【請求項１】
本体装置と操作端末との間で無線通信を介して情報の送受信を行うカラオケ用通信方法であって、
前記本体装置が、当該本体装置に対応した認証用識別情報を送信する認証識別送信手順と、
前記操作端末が、前記認証用識別情報を受信する認証識別受信手順と、
前記操作端末が、前記認証識別受信手順で前記認証用識別情報を受信した場合に、前記認証用識別情報とともに当該操作端末に対応する機器識別情報を送信する機器識別送信手順と、
前記本体装置が、当該本体装置に対応する前記認証用識別情報とともに前記機器識別情報を受信する機器識別受信手順と、
前記本体装置が、前記機器識別受信手順で当該本体装置に対応する前記認証用識別情報とともに前記機器識別情報を受信した場合に、前記機器識別情報とともに当該本体装置に対応する通常通信用識別情報を送信する通信識別送信手順と、
前記操作端末が、当該操作端末に対応する前記機器識別情報とともに前記通常通信用識別情報を受信する通信識別受信手順と、
前記操作端末が、前記通常通信用識別情報とともに処理要求情報を送信する処理要求送信手順と、
前記本体装置が、当該本体装置に対応する前記通常通信用識別情報とともに前記処理要求情報を受信する処理要求受信手順と、
前記本体装置が、前記処理要求受信手順で当該本体装置に対応する前記通常通信用識別情報とともに前記処理要求情報を受信した場合に、前記処理要求情報に対応する処理を行う処理手順と、
を行い、
前記認証識別送信手順、前記認証識別受信手順、前記機器識別送信手順、前記機器識別受信手順、前記通信識別送信手順、及び前記通信識別受信手順では、
前記操作端末が前記本体装置から所定距離以内に位置している場合のみ前記本体装置から前記操作端末への情報送受が可能となる電波送信強度と電波受信感度の組み合わせで前記認証用識別情報を送受し、
前記処理要求送信手順と前記処理要求受信手順では、
前記操作端末が前記本体装置から前記所定距離以上で位置している場合でも前記操作端末から前記本体装置への情報送受が可能となる電波送信強度と電波受信感度の組み合わせで前記処理要求情報を送受する、
ことを特徴とするカラオケ用通信方法。
【請求項２】
前記認証識別受信手順と前記通信識別受信手順では、
前記操作端末は、前記処理要求受信手順の場合の前記本体装置と略同等の第１電波受信感度で受信し、
前記認証識別送信手順と前記通信識別送信手順では、
前記本体装置は、前記操作端末が当該本体装置から所定距離以内に位置している場合のみ前記操作端末が前記第１電波受信感度で受信可能となる程度に低い第１電波送信強度で、前記認証用識別情報又は前記通常通信用識別情報を送信することを特徴とする請求項１記載のカラオケ用通信方法。
【請求項３】
前記認証識別送信手順と前記通信識別送信手順では、
前記本体装置は、前記処理要求送信手順の場合の前記操作端末と略同等の第２電波送信強度で前記認証用識別情報又は前記通常通信用識別情報を送信し、
前記認証識別受信手順と前記通信識別受信手順では、
前記操作端末は、当該操作端末が前記本体装置から所定距離以内に位置している場合のみ前記第２電波送信強度の前記本体装置から受信可能となる程度に低い第２電波受信感度で受信することを特徴とする請求項１記載のカラオケ用通信方法。
【請求項４】
前記機器識別受信手順では、
前記本体装置は、前記処理要求受信手順の場合と略同等の第３電波受信感度で受信し、
前記機器識別送信手順では、
前記操作端末は、当該操作端末が前記本体装置から所定距離以内に位置している場合のみ前記本体装置が前記第３電波受信感度で受信可能となる程度に低い第３電波送信強度で、前記機器識別情報を送信することを特徴とする請求項１乃至３のいずれか１項に記載のカラオケ用通信方法。
【請求項５】
前記機器識別送信手順では、
前記操作端末は、前記処理要求送信手順の場合と略同等の第４電波送信強度で前記機器識別情報を送信し、
前記機器識別受信手順では、
前記本体装置は、前記操作端末が当該本体装置から所定距離以内に位置している場合のみ前記第４電波送信強度の前記操作端末から受信可能となる程度に低い第４電波受信感度で、前記機器識別情報を受信することを特徴とする請求項１乃至３のいずれか１項に記載のカラオケ用通信方法。
【請求項６】
前記処理要求受信手順では、
所定時間以上で受信していない通常通信用識別情報を無効化し、当該無効化した通常通信用識別情報とともに受信した処理要求情報を前記処理手順で処理させないことを特徴とする請求項１乃至５のいずれか１項に記載のカラオケ用通信方法。
【請求項７】
前記機器識別受信手順では、
当該本体装置に対応する前記認証用識別情報とともに受信した前記機器識別情報を許可機器リストに記録し、
前記通信識別送信手順では、
当該本体装置に対応する前記通常通信用識別情報を前記機器識別受信手順で受信した前記機器識別情報と関連付けて前記許可機器リストに記録し、
前記処理要求受信手順では、
所定時間以上で受信していない通常通信用識別情報に対応する機器識別情報を前記許可機器リストから削除し、当該許可機器リストに記録されている機器識別情報に関連付けられていない通常通信用識別情報とともに受信した処理要求情報を前記処理手順で処理させないことを特徴とする請求項１乃至５のいずれか１項に記載のカラオケ用通信方法。
【請求項８】
無線通信を介して情報を送受信する本体装置と操作端末を備えるカラオケ用通信システムであって、
前記本体装置は、当該本体装置に対応した認証用識別情報を送信する認証識別送信手段を有し、
前記操作端末は、前記認証用識別情報を受信する認証識別受信手段を有し、
前記操作端末は、前記認証識別受信手段で前記認証用識別情報を受信した場合に、前記認証用識別情報とともに当該操作端末に対応する機器識別情報を送信する機器識別送信手段を有し、
前記本体装置は、当該本体装置に対応する前記認証用識別情報とともに前記機器識別情報を受信する機器識別受信手段を有し、
前記本体装置は、前記機器識別受信手段で当該本体装置に対応する前記認証用識別情報とともに前記機器識別情報を受信した場合に、前記機器識別情報とともに当該本体装置に対応する通常通信用識別情報を送信する通信識別送信手段を有し、
前記操作端末は、当該操作端末に対応する前記機器識別情報とともに前記通常通信用識別情報を受信する通信識別受信手段と、
前記操作端末は、前記通常通信用識別情報とともに処理要求情報を送信する処理要求送信手段を有し、
前記本体装置は、当該本体装置に対応する前記通常通信用識別情報とともに前記処理要求情報を受信する処理要求受信手段を有し、
前記本体装置は、前記処理要求受信手段で当該本体装置に対応する前記通常通信用識別情報とともに前記処理要求情報を受信した場合に、前記処理要求情報に対応する処理を行う処理手段を有し、
前記認証識別送信手段、前記認証識別受信手段、前記機器識別送信手段、前記機器識別受信手段、前記通信識別送信手段、及び前記通信識別受信手段では、
前記操作端末が前記本体装置から所定距離以内に位置している場合のみ前記本体装置から前記操作端末への情報送受が可能となる電波送信強度と電波受信感度の組み合わせで前記認証用識別情報を送受し、
前記処理要求送信手段と前記処理要求受信手段では、
前記操作端末が前記本体装置から前記所定距離以上で位置している場合でも前記操作端末から前記本体装置への情報送受が可能となる電波送信強度と電波受信感度の組み合わせで前記処理要求情報を送受する、
ことを特徴とするカラオケ用通信システム。
【発明の詳細な説明】
【技術分野】
【０００１】
本発明は、カラオケ装置とリモコン端末の間で無線通信を介して情報を送受するカラオケ用通信方法及びカラオケ用通信システムに関する。
【背景技術】
【０００２】
例えば、特許文献１に開示されているように、サーバが無線通信を介して情報を送受するステーションとの距離を計測し、その距離に応じて当該ステーションへ付与するアクセス権限（読込、書込、アクセス可否）を変更する技術が提案されていた。
【先行技術文献】
【特許文献】
【０００３】
【特許文献１】特開２００５−１２８９６５号公報
【発明の概要】
【発明が解決しようとする課題】
【０００４】
一方、カラオケ装置とリモコン端末の間で無線通信を介して情報を送受するカラオケ通信システムにおいては、所定の無線通信範囲内に複数のカラオケ装置とリモコン装置が混在する環境で利用する場合が多くある。この場合、無関係な機器間における混信を防ぐためにも、特定のカラオケ装置とリモコン装置とを組み合わせてくくりつける（ペアリングする）よう無線接続を確立させる必要があるが、そのようなペアリングを伴う無線接続の設定操作は非常に煩雑となっていた。
【０００５】
これに対し、上記従来技術は、既に無線接続が確立できている端末どうしの間の距離によりアクセス権限を変えるだけであり、無線接続自体を確立するための設定操作は各ステーションのユーザが従来通りの煩雑な操作により行う必要があった。
【０００６】
本発明の目的は、通常時の使用に影響を与えることなく、特定機器間でペアリングによる無線接続を簡易に設定可能なカラオケ用通信方法及びカラオケ用通信システムを提供することにある。
【課題を解決するための手段】
【０００７】
上記目的を達成するために、第１の発明は、本体装置と操作端末との間で無線通信を介して情報の送受信を行うカラオケ用通信方法であって、前記本体装置が、当該本体装置に対応した認証用識別情報を送信する認証識別送信手順と、前記操作端末が、前記認証用識別情報を受信する認証識別受信手順と、前記操作端末が、前記認証識別受信手順で前記認証用識別情報を受信した場合に、前記認証用識別情報とともに当該操作端末に対応する機器識別情報を送信する機器識別送信手順と、前記本体装置が、当該本体装置に対応する前記認証用識別情報とともに前記機器識別情報を受信する機器識別受信手順と、前記本体装置が、前記機器識別受信手順で当該本体装置に対応する前記認証用識別情報とともに前記機器識別情報を受信した場合に、前記機器識別情報とともに当該本体装置に対応する通常通信用識別情報を送信する通信識別送信手順と、前記操作端末が、当該操作端末に対応する前記機器識別情報とともに前記通常通信用識別情報を受信する通信識別受信手順と、前記操作端末が、前記通常通信用識別情報とともに処理要求情報を送信する処理要求送信手順と、前記本体装置が、当該本体装置に対応する前記通常通信用識別情報とともに前記処理要求情報を受信する処理要求受信手順と、前記本体装置が、前記処理要求受信手順で当該本体装置に対応する前記通常通信用識別情報とともに前記処理要求情報を受信した場合に、前記処理要求情報に対応する処理を行う処理手順と、を行い、前記認証識別送信手順、前記認証識別受信手順、前記機器識別送信手順、前記機器識別受信手順、前記通信識別送信手順、及び前記通信識別受信手順では、前記操作端末が前記本体装置から所定距離以内に位置している場合のみ前記本体装置から前記操作端末への情報送受が可能となる電波送信強度と電波受信感度の組み合わせで前記認証用識別情報を送受し、前記処理要求送信手順と前記処理要求受信手順では、前記操作端末が前記本体装置から前記所定距離以上で位置している場合でも前記操作端末から前記本体装置への情報送受が可能となる電波送信強度と電波受信感度の組み合わせで前記処理要求情報を送受する、ことを特徴とする。
【０００８】
特定の組み合わせにある（例えば同じ部屋に存在する）１台の本体装置と操作端末で１組のカラオケシステムを構成し、異なる組のカラオケシステムどうしの間では無線通信は行わないことが前提にある。しかし、カラオケシステムどうしが所定の無線通信可能範囲内で近接している場合には、互いに混信する可能性が生じる。このような混信を防ぐために、各操作端末がそれぞれどの本体装置とだけ対応づけて無線接続を確立するかを設定するペアリングが必要となる。しかし、このようなペアリングを確立するための認証処理自体も無線通信を介して簡易に行えることが望まれるが、同じカラオケシステムに属する他の操作端末の通常使用時における無線通信に影響を与えることなく、同じカラオケシステム内の本体装置だけに対して行うためには設定操作が煩雑になりやすい。
【０００９】
これに対して本発明では、操作端末を本体装置に所定距離以内で近づけている間だけ認証処理によるペアリングの確立を可能とし、所定距離以上に離間している間は通常通信の処理だけを許容するよう制御する。この所定距離が、同じ部屋内の同じカラオケシステムに属する操作端末だけが本体装置のアンテナに近づけ得る距離（例えば３０ｃｍ程度）に設定されることで、異なる部屋の異なるカラオケシステムに属する操作端末が誤ってペアリングすることがなくなる。また、上記所定距離が操作端末の通常使用ではありえない程の近距離に設定されることで、同じカラオケシステムに属する他の操作端末の通常通信に対しても影響を与えずに認証処理を行える。
【００１０】
この手法を具体的に実現するため、認証処理の最中で操作端末が本体装置から所定距離以内に位置している場合のみ本体装置から操作端末への情報送受が可能となる電波送信強度と電波受信感度の組み合わせで認証用識別情報を送受する。また、通常通信処理の最中で操作端末が本体装置から所定距離以上で位置している場合でも操作端末から本体装置への情報送受が可能となる電波送信強度と電波受信感度の組み合わせで処理要求情報を送受する。これにより、操作端末を本体装置から所定距離以内に近づけるよう移動させるだけで認証処理によるペアリングが確立し、その後にペアリングした組み合わせの本体装置と操作端末だけが所定距離以上で離間していても通常通信処理による処理要求情報の送受と実行が可能となる。
【発明の効果】
【００１１】
本発明によれば、通常時の使用に影響を与えることなく、特定機器間でペアリングによる無線接続を簡易に設定することができる。
【図面の簡単な説明】
【００１２】
【図１】本発明の一実施形態に係わるカラオケ用通信システムの機能を備えたカラオケシステムの使用例を示す図である。
【図２】本体装置の制御系の主要構成を示す機能ブロック図である。
【図３】リモコン端末の制御系の主要構成を示す機能ブロック図である。
【図４】本体装置とリモコン端末の認証処理時と通常通信処置時の送受関係を示す図である。
【図５】本体装置からリモコン端末への情報送受における送信強度と受信感度の関係を示す図である。
【図６】リモコン端末から本体装置への情報送受における送信強度と受信感度の関係を示す図である。
【図７】認証処理と通常通信処理の実行中における本体装置とリモコン端末の間の情報送受を説明するシーケンスチャートである。
【図８】本体装置のＣＰＵにより実行される処理内容を示すフローチャートである。
【図９】リモコン端末のＣＰＵにより実行される処理内容を示すフローチャートである。
【図１０】本体装置とリモコン端末との間の情報送受における送信強度と受信感度の他の組み合わせでの関係を示す図である。
【図１１】長時間通信のないペアリングを無効化する場合に本体装置のＣＰＵにより実行される第２の処理内容を示すフローチャートである。
【図１２】長時間通信のないペアリングを無効化する場合に本体装置のＣＰＵにより実行される第１の処理内容を示すフローチャートである。
【発明を実施するための形態】
【００１３】
以下、本発明の一実施の形態について、図面を参照しつつ説明する。
【００１４】
本実施形態に係わるカラオケ用通信システムの機能を備えたカラオケシステムの使用例を図１に示す。カラオケシステム１は、本体装置１０とリモコン端末５０（操作端末）を有している。図１では、２つのカラオケボックスの部屋Ｒ１、Ｒ１が並ぶ店舗で使用する例を示しており、各部屋Ｒ１、Ｒ２にそれぞれ１台の本体装置１０と１つ又は複数のリモコン端末５０が配置されている。本体装置１０とリモコン端末５０は無線ＬＡＮなどの無線通信を介して操作情報などを送受するが、通常の使用では同じ部屋に配置されている本体装置１０とリモコン端末５０の間でしか無線通信を行う必要がない。なお、リモコン端末５０どうしでは無線通信しないものとする。
【００１５】
上記本体装置１０の制御系の主要構成を示す機能ブロック図を図２に示し、本体装置１０の制御系の構成について説明する。本体装置１０は、装置筺体１１に有線ＬＡＮ回線１２を接続する通信端子１３と、アンプ１４の音声入力端子と接続される音声出力端子１５と、モニタ１６の映像入力端子と接続される映像出力端子１７とを備えている。また本体装置１０は、マイクロフォン１８から入力される音声信号及び曲の再生信号のミキシングを行うミキシング回路１９を備え、音声と曲との音量バランス、エコー調整、デレィ調整、ミキシング信号の増幅、再生される曲の音程制御、高音、低音の制御などを行うアンプ１４と、このアンプ１４から出力される増幅信号を音として再生するスピーカ２０とを備えている。
【００１６】
この本体装置１０には、制御プログラムにしたがって各種制御を実行するＣＰＵ２１が設けられている。ＣＰＵ２１には、リモコン端末５０から送信される処理要求情報に関するデータなどを一時保存するためのＲＡＭ２２と、ＣＰＵ２１により実行されるプログラム及び必要なデータテーブルなどが記憶されたＲＯＭ２３とが接続されている。また、ＣＰＵ２１には、モニタ１６に歌詞テロップや各種メッセージ映像を表示するための文字映像データが記憶されたビデオＲＡＭ２４と、外部のサーバ２５から送信される楽曲データ、歌詞データ、及び映像データなどの各種データを通信端子１３及び有線ＬＡＮ回線１２を介して受信するための有線ＬＡＮ制御部２６と、この有線ＬＡＮ制御部２６により受信される楽曲データ及び動画データ等を保存するためのＨＤＤ２７とが接続されている。ＨＤＤ２７には、背景映像を示す背景映像データも保存（記憶）されている。
【００１７】
さらに、ＣＰＵ２１には、ＨＤＤ２７から読み出された曲データに含まれるＭＩＤＩデータを入力するとともに、その入力されたＭＩＤＩデータにより指定される音源から音源信号を出力するＭＩＤＩ音源ボード２８が接続されている。また、ＣＰＵ２１には、上記出力された音源信号を入力してアンプ１４により増幅可能な信号に変換する音声制御回路２９が接続されている。また、ＣＰＵ２１には、サーバ２５から受信した上記動画データ等を映像出力端子１７を介してモニタ１６に表示するための映像制御を行う映像制御回路３１が接続されている。
【００１８】
さらに、ＣＰＵ２１には、本体装置１０の筺体１１に設けられたアンテナ３２を介してリモコン端末５０と無線ＬＡＮ通信により情報送受するための無線ＬＡＮ通信制御部３３が接続されている。この無線ＬＡＮ制御部３３には、送信部３３ａと受信部３３ｂが備えられている。また、ＣＰＵ２１には、本体装置１０の筺体に設けられた各種ボタン・キー３４（テンキー、選曲ボタン等）を押したときに点灯するＬＥＤ３５へ表示信号を出力する表示回路３６と、上記各種ボタン、キー３４を押したときに発生するスイッチング信号を入力する入力回路３７とが接続されている。
【００１９】
上記リモコン端末５０の制御系の主要構成を示す機能ブロック図を図３に示し、リモコン端末５０の制御系の構成について説明する。リモコン端末５０には、制御プログラムにしたがって各種制御を実行するＣＰＵ５２が設けられている。ＣＰＵ５２には、ユーザから操作入力された指令やデータなどを一時保存するためのＲＡＭ５３と、ＣＰＵ５２により実行されるプログラム及び必要なデータテーブルなどが記憶されたＲＯＭ５４とが接続されている。
【００２０】
さらに、ＣＰＵ５２には、端末筺体５１に設けられたアンテナ５５を介して本体装置１０と無線ＬＡＮ通信により情報送受するための無線ＬＡＮ通信制御部５６が接続されている。この無線ＬＡＮ制御部５６には、送信部５６ａと受信部５６ｂが備えられている。また、ＣＰＵ５２には、端末筺体５１に設けられたタッチパネルディスプレイ５７へ表示信号を出力する表示回路５８と、ユーザがタッチパネルディスプレイ５７に対して接触操作した際の操作信号を入力する入力回路５９とが接続されている。
【００２１】
なお、本実施形態の例では、上記リモコン端末５０をカラオケシステム１専用の機器として構成しているが、同等のハードウェア構成を有するスマートフォンやタブレット端末等の携帯端末を利用してもよい。この場合には、あらかじめ携帯端末に後述のリモコン端末処理（後述の図９参照）と同等に機能するアプリケーションプログラムをインストールしておく必要がある。なお、上記本体装置１０とリモコン端末５０とを合わせた全体が、各請求項記載のカラオケ用通信システムに相当する。
【００２２】
上述したように、特定の組み合わせにある（例えば同じ部屋に存在する）１台の本体装置１０とリモコン端末５０で１組のカラオケシステム１を構成し、異なる組のカラオケシステム１どうしの間では無線通信は行わないことが前提にある。しかし、上記図１に示したように、カラオケシステム１どうしが所定の無線通信可能範囲内で近接している場合には、互いに混信する可能性が生じる。例えば、一方のカラオケシステム１に属する本体装置１０の通信可能範囲Ｚ１内に他方のカラオケシステム１に属するリモコン端末５０が存在する場合には、当該本体装置１０が本来無関係であるリモコン端末５０からも指令情報を受信してしまう。また、あるリモコン端末５０の通信可能範囲Ｚ２内に２台の本体装置１０が存在する場合には、当該リモコン端末５０が本来無関係である本体装置１０に対しても指令情報を送信してしまう。
【００２３】
このような混信を防ぐために、各リモコン端末５０がそれぞれどの本体装置１０とだけ対応づけて無線接続を確立するかを設定するペアリングが必要となる。しかし、このようなペアリングを確立するための認証処理自体も無線通信を介して簡易に行えることが望まれるが、同じカラオケシステム１に属する他のリモコン端末５０の通常使用時における無線通信に影響を与えることなく、同じカラオケシステム１内の本体装置１０だけに対して行うためには設定操作が煩雑になりやすい。
【００２４】
これに対して本実施形態では、図４に示すように、リモコン端末５０を本体装置１０に所定距離以内で近づけている間だけ認証処理によるペアリングの確立を可能とし、所定距離以上に離間している間は通常通信の処理だけを許容するよう制御する。この所定距離が、同じ部屋内の同じカラオケシステム１に属するリモコン端末５０だけが本体装置１０のアンテナ３２に近づけ得る距離（例えば３０ｃｍ程度）に設定されることで、異なる部屋の異なるカラオケシステム１に属するリモコン端末５０が誤ってペアリングすることがなくなる。また、上記所定距離がリモコン端末５０の通常使用ではありえない程の近距離に設定されることで、同じカラオケシステム１に属する他のリモコン端末５０の通常通信に対しても影響を与えずに認証処理を行える。
【００２５】
そして、本体装置１０は認証処理と通常通信処理を区別するために、当該本体装置１０を特定するための無線通信用の識別情報（この例では無線ＬＡＮのＳＳＩＤ）として認証処理用と通常通信処理用の２種類を使い分ける（いわゆる無線ＬＡＮマルチＳＳＩＤ機能）。さらに、本体装置１０とリモコン端末５０は、それらの間の離間距離の変化によって処理を切り替えるために、図５、図６に示すような送信強度と受信感度の使い分けも行う。
【００２６】
例えば、図５（ａ）に示すように、本体装置１０が距離Ｌ１で離間しているリモコン端末５０に対し情報を正常に送信するために最低限必要な電波の送信強度をＡとし、リモコン端末５０がこの送信強度Ａの電波を正常に受信するのに最低限必要な受信感度をＡ′とする。これに対し、図５（ｂ）に示すように、本体装置１０が送信強度Ａより低い送信強度Ｂで送信した場合には、同じ離間距離Ｌ１のままでは情報を送受できず、つまり通信不可となる。しかし同じ送信強度Ｂと受信感度Ａ′の組み合わせでも、図５（ｃ）に示すように離間距離をＬ２まで近づけることで通信は可能となる。このように、送信強度と受信感度の相対関係により通信可能な離間距離が異なってくる。
【００２７】
本実施形態の例では、本体装置１０からリモコン端末５０へ情報を送受する場合、リモコン端末５０側が受信感度Ａ′を常に維持する一方、本体装置１０が通常通信処理では比較的強い送信強度Ａで情報を送信し、認証処理では比較的弱い送信強度Ｂで情報を送信するよう切り替える。また、リモコン端末５０から本体装置１０へ情報を送受する場合、図６に示すように、リモコン端末５０側が送信強度Ａを常に維持する一方、本体装置１０が通常通信処理では比較的強い受信感度Ａ′で情報を受信し、認証処理では比較的弱い受信感度Ｂで情報を受信するよう切り替える。これにより、リモコン端末５０を本体装置１０に離間距離Ｌ２以内で近づけている間だけ認証処理によるペアリングの確立を可能とし、離間距離Ｌ２以上に離間している間は通常通信処理だけを許容する制御を実現できる。なお、受信感度Ａ′が各請求項記載の第１電波受信感度に相当し、送信強度Ｂが各請求項記載の第１電波送信強度に相当する。また、送信強度Ａが各請求項記載の第４電波送信強度に相当し、受信感度Ｂ′が各請求項記載の第４電波受信感度に相当する。
【００２８】
認証処理と通常通信処理の実行中における本体装置１０とリモコン端末５０の間の情報送受を説明するシーケンスチャートを図７に示す。このシーケンスチャートは、まだペアリングが確立されていない本体装置１０とリモコン端末５０が比較的遠い離間距離Ｌ１で離間している状態で開始する。
【００２９】
まず、本体装置１０が、常時（又は短い時間間隔で）認証用ＳＳＩＤ（認証用識別情報）を比較的弱い送信強度Ｂで送信する（ＳＴ１）。ここで、認証用ＳＳＩＤとして利用されるＩＤは、全てのＳＳＩＤのうち認証用として公開されている（リモコン端末５０自体が認証用として予め記憶し、認識できる）ＳＳＩＤである方が確実に認識できるため好ましい。
【００３０】
ペアリングが確立していないリモコン端末５０は、認証用ＳＳＩＤを受信するまで比較的強い受信感度Ａ′での無線受信だけを繰り返す。離間距離Ｌ２より大きく離間している間は認証用ＳＳＩＤを受信できないが、ユーザが当該リモコン端末５０を離間距離Ｌ２以内まで本体装置１０に近づけた際には認証用ＳＳＩＤを受信して認証処理を開始する（ＳＴ２）。
【００３１】
次にリモコン端末５０は、上記認証用ＳＳＩＤとともに、当該リモコン端末５０に予め設定されている機器識別情報（例えば無線ＬＡＮで使用するＭＡＣアドレス等）を送信強度Ａで送信する（ＳＴ３）。
【００３２】
次に本体装置１０は、認証用ＳＳＩＤとともに機器識別情報を受信感度Ｂ′で受信する（ＳＴ４）。このとき受信した認証用ＳＳＩＤが当該本体装置１０に対応するものであれば、自己宛てに送信された情報として判断する。この場合に本体装置１０は、受信した機器識別情報とともに、上記リモコン端末５０に対して割り当てる通常通信用ＳＳＩＤ（通常通信用識別情報）を送信強度Ｂで送信する（ＳＴ５）。ここで、通常通信用ＳＳＩＤは、全てのＳＳＩＤのうち非公開となっている（リモコン端末５０自体もどれが使用されるか分からない）ＳＳＩＤである方がセキュリティ上好ましい。
【００３３】
次にリモコン端末５０は、機器識別情報とともに通常通信用ＳＳＩＤを受信感度Ａ′で受信する（ＳＴ６）。このとき受信した機器識別情報が当該リモコン端末５０に対応するものであれば、自己宛てに送信された情報として判断する。この場合にリモコン端末５０は認証処理を完了してペアリングが確立される。この後、ユーザが当該リモコン端末５０を離間距離Ｌ１まで本体装置１０から離しても、本体装置１０とは通常通信処理が可能となる。つまり、ユーザが要求した処理を示す処理要求情報を通常通信用ＳＳＩＤとともに送信強度Ａで送信することで通常通信が開始される（ＳＴ７）。
【００３４】
次に本体装置１０は、通常通信用ＳＳＩＤとともに処理要求情報を受信感度Ａ′で受信する（ＳＴ８）。このとき受信した通常通信用ＳＳＩＤが当該本体装置１０に対応するものであれば、自己宛てに送信された情報として判断する。この場合に本体装置１０は、受信した処理要求情報に対応する処理を実行する（ＳＴ９）。
【００３５】
以上により、リモコン端末５０を本体装置１０から離間距離Ｌ２以内に近づけるよう移動させるだけで認証処理によるペアリングが確立し、その後にペアリングした組み合わせの本体装置１０とリモコン端末５０だけが通常通信処理による処理要求情報の送受と実行が可能となる。
【００３６】
上記手法を実現するために本体装置１０のＣＰＵ２１により実行される処理内容を、図８のフローにより説明する。図８において、例えばユーザにより本体装置１０の電源がオンにされることによって、このフローが開始される。
【００３７】
まず、ステップＳＳ５において、本体装置１０のＣＰＵ２１は、認証用ＳＳＩＤを比較的弱い送信強度Ｂで送信する。その後、ステップＳＳ１０に移る。
【００３８】
ステップＳＳ１０では、本体装置１０のＣＰＵ２１は、比較的弱い受信感度Ｂ′で何らかの情報の受信を試みる。その後、ステップＳＳ１５に移る。
【００３９】
ステップＳＳ１５では、本体装置１０のＣＰＵ２１は、上記ステップＳＳ１０で当該本体装置１０に対応する認証用ＳＳＩＤと機器識別情報を受信したか否かを判定する。認証用ＳＳＩＤと機器識別情報を受信していない場合、判定は満たされず（ＳＳ１５：ＮＯ）、ステップＳＳ２５へ移る。
【００４０】
一方、認証用ＳＳＩＤと機器識別情報を受信していた場合、判定が満たされ（ＳＳ１５：ＹＥＳ）、ステップＳＳ２０へ移る。
【００４１】
ステップＳＳ２０では、本体装置１０のＣＰＵ２１は、上記ステップＳＳ１０で受信した機器識別情報と、当該本体装置１０への宛先ＩＤとして上記機器識別情報のリモコン端末５０に割り当てる通常通信用ＳＳＩＤを比較弱い送信強度Ｂで送信する。これにより認証処理が完了してペアリングが確立する。その後、ステップＳＳ２５に移る。
【００４２】
ステップＳＳ２５では、本体装置１０のＣＰＵ２１は、比較的強い受信感度Ａ′で何らかの情報の受信を試みる。その後、ステップＳＳ３０に移る。
【００４３】
ステップＳＳ３０では、本体装置１０のＣＰＵ２１は、上記ステップＳＳ２５で当該本体装置１０に対応する通常通信用ＳＳＩＤと処理要求情報を受信したか否かを判定する。通常通信用ＳＳＩＤと処理要求情報を受信していない場合、判定は満たされず（ＳＳ３０：ＮＯ）、ステップＳＳ４０へ移る。
【００４４】
一方、通常通信用ＳＳＩＤと処理要求情報を受信していた場合、判定が満たされ（ＳＳ３０：ＹＥＳ）、ステップＳＳ３５へ移る。
【００４５】
ステップＳＳ３５では、本体装置１０のＣＰＵ２１は、上記ステップＳＳ２５で受信した処理要求情報に対応する処理を実行する。その後、ステップＳＳ４０へ移る。
【００４６】
ステップＳＳ４０では、本体装置１０のＣＰＵ２１は、ボタン・キー３４を介してユーザから処理の終了を指示する操作が入力されたか否かを判定する。終了操作が入力されていない場合、判定は満たされず（ＳＳ４０：ＮＯ）、ステップＳＳ５に戻って同様の手順を繰り返す。
【００４７】
一方、終了操作が入力されていた場合、判定が満たされ（ＳＳ４０：ＹＥＳ）、このフローを終了する。
【００４８】
以上のフローにおいて、ステップＳＳ５〜ステップＳＳ２０が認証処理に相当し、ステップＳＳ２５〜ステップＳＳ４０が通常通信処理に相当する。本実施形態では、上記の認証処理と通常通信処理を交互に実行したが、それぞれ個別のフローとして並列に実行してもよい。
【００４９】
次にリモコン端末５０のＣＰＵ５２により実行される処理内容を、図９のフローにより説明する。図９において、例えばユーザによりリモコン端末５０の電源がオンにされることによって、このフローが開始される。
【００５０】
まず、ステップＳＳ１０５において、リモコン端末５０のＣＰＵ５２は、タッチパネルディスプレイ５７にペアリングが未確定である旨を表示する。その後、ステップＳＳ１１０に移る。
【００５１】
ステップＳＳ１１０では、リモコン端末５０のＣＰＵ５２は、比較的強い受信感度Ａ′で何らかの情報の受信を試みる。その後、ステップＳＳ１１５に移る。
【００５２】
ステップＳＳ１１５では、リモコン端末５０のＣＰＵ５２は、上記ステップＳＳ１１０で認証用ＳＳＩＤを受信したか否かを判定する。認証用ＳＳＩＤを受信していない場合、判定は満たされず（ＳＳ１１５：ＮＯ）、ステップＳＳ１１０へ戻り同様の手順を繰り返す。
【００５３】
一方、認証用ＳＳＩＤを受信していた場合、判定が満たされ（ＳＳ１１５：ＹＥＳ）、ステップＳＳ１２０に移る。
【００５４】
ステップＳＳ１２０では、リモコン端末５０のＣＰＵ５２は、上記ステップＳＳ１１０で受信した認証用ＳＳＩＤと、当該リモコン端末５０に予め付与されているＭＡＣアドレスなどの機器識別情報を比較的強い送信強度Ａで送信する。その後、ステップＳＳ１２５に移る。
【００５５】
ステップＳＳ１２５では、リモコン端末５０のＣＰＵ５２は、比較的強い受信感度Ａ′で何らかの情報の受信を試みる。その後、ステップＳＳ１３０に移る。
【００５６】
ステップＳＳ１３０では、リモコン端末５０のＣＰＵ５２は、上記ステップＳＳ１２５で当該リモコン端末５０に対応する機器識別情報と通常通信用ＳＳＩＤを受信したか否かを判定する。機器識別情報と通常通信用ＳＳＩＤを受信していない場合、判定は満たされず（ＳＳ１３０：ＮＯ）、ステップＳＳ１１０へ戻って同様の手順を繰り返す。
【００５７】
一方、機器識別情報と通常通信用ＳＳＩＤを受信していた場合、判定が満たされ（ＳＳ１３０：ＹＥＳ）、ステップＳＳ１３５に移る。
【００５８】
ステップＳＳ１３５では、リモコン端末５０のＣＰＵ５２は、タッチパネルディスプレイ５７にペアリングが確立した旨を表示する。これにより認証処理が完了してペアリングが確立する。その後、ステップＳＳ１４０に移る。
【００５９】
ステップＳＳ１４０では、リモコン端末５０のＣＰＵ５２は、タッチパネルディスプレイ５７を介してユーザから処理を要求する操作が入力されたか否かを判定する。処理要求操作が入力されていない場合、判定は満たされず（ＳＳ１４０：ＮＯ）、ステップＳＳ１５０に移る。
【００６０】
一方、処理要求操作が入力されている場合、判定が満たされ（ＳＳ１４０：ＹＥＳ）、ステップＳＳ１４５に移る。
【００６１】
ステップＳＳ１４５では、リモコン端末５０のＣＰＵ５２は、通常通信用ＳＳＩＤと上記ステップＳＳ１４０で判定した処理要求操作に対応する処理要求情報を比較的強い送信強度Ａで送信する。その後、ステップＳＳ１５０に移る。
【００６２】
ステップＳＳ１５０では、リモコン端末５０のＣＰＵ５２は、タッチパネルディスプレイ５７を介してユーザから処理の終了を指示する操作が入力されたか否かを判定する。終了操作が入力されていない場合、判定は満たされず（ＳＳ１５０：ＮＯ）、ステップＳＳ１４０に戻って同様の手順を繰り返す。
【００６３】
一方、終了操作が入力されていた場合、判定が満たされ（ＳＳ１５０：ＹＥＳ）、このフローを終了する。
【００６４】
以上のフローにおいて、ステップＳＳ１０５〜ステップＳＳ１３５が認証処理に相当し、ステップＳＳ１４０〜ステップＳＳ１５０が通常通信処理に相当する。
【００６５】
以上において、ステップＳＴ１とステップＳＳ５が各請求項記載の認証識別送信手順及び認証識別送信手段に相当し、ステップＳＴ２とステップＳＳ１１０が各請求項記載の認証識別受信手順及び認証識別受信手段に相当し、ステップＳＴ３とステップＳＳ１２０が各請求項記載の機器識別送信手順及び機器識別送信手段に相当し、ステップＳＴ４とステップＳＳ１０が各請求項記載の機器識別受信手順及び機器識別受信手段に相当し、ステップＳＴ５とステップＳＳ２０が各請求項記載の通信識別送信手順及び通信識別送信手段に相当し、ステップＳＴ６とステップＳＳ１２５が各請求項記載の通信識別受信手順及び通信識別受信手段に相当し、ステップＳＴ７とステップＳＳ１４５が各請求項記載の処理要求送信手順及び処理要求送信手段に相当し、ステップＳＴ８とステップＳＳ２５が各請求項記載の処理要求受信手順及び処理要求受信手段に相当し、ステップＳＴ９とステップＳＳ３５が各請求項記載の処理手順及び処理手段に相当する。
【００６６】
以上説明したように、本実施形態においては、認証処理の最中でリモコン端末５０が本体装置１０から離間距離Ｌ２以内に位置している場合のみ本体装置１０からリモコン端末５０への情報送受が可能となる電波送信強度Ｂと電波受信感度Ａ′の組み合わせで認証用ＳＳＩＤを送受する。また、通常通信処理の最中でリモコン端末５０が本体装置１０から離間距離Ｌ２以上で位置している場合でもリモコン端末５０から本体装置１０への情報送受が可能となる電波送信強度Ａと電波受信感度Ｂ′の組み合わせで処理要求情報を送受する。これにより、リモコン端末５０を本体装置１０から離間距離Ｌ２以内に近づけるよう移動させるだけで認証処理によるペアリングが確立し、その後にペアリングした組み合わせの本体装置１０とリモコン端末５０だけが離間距離Ｌ２以上で離間していても通常通信処理による処理要求情報の送受と実行が可能となる。この結果、通常時の使用に影響を与えることなく、特定機器間でペアリングによる無線接続を簡易に設定できる。
【００６７】
また、本実施形態では特に、認証処理の最中にリモコン端末５０は、通常通信処理の場合の本体装置１０と略同等の受信感度Ａ′で受信し、認証処理の最中に本体装置１０は、リモコン端末５０が当該本体装置１０から離間距離Ｌ２以内に位置している場合のみリモコン端末５０が受信感度Ａ′で受信可能となる程度に低い送信強度Ｂで、認証用ＳＳＩＤ又は通常通信用ＳＳＩＤを送信する。これにより、本体装置１０から離間距離Ｌ２以内でしか認証用ＳＳＩＤが伝搬しないため、セキュリティ性が向上する。
【００６８】
また、本実施形態では特に、認証処理の最中にリモコン端末５０は、通常通信処理の場合と略同等の送信強度Ａで機器識別情報を送信し、認証処理の最中に本体装置１０は、リモコン端末５０が当該本体装置１０から離間距離Ｌ２以内に位置している場合のみ送信強度Ａのリモコン端末５０から受信可能となる程度に低い受信感度Ｂ′で、機器識別情報を受信する。これにより、本体装置１０は離間距離Ｌ２以内からしか機器識別情報を受信しないため、混信を防ぐことができる。
【００６９】
なお、上記実施形態では、認証処理時における本体装置１０とリモコン端末５０の送信強度と受信感度の組み合わせとして、本体装置１０（送信強度Ｂ）→リモコン端末５０（受信感度Ａ′）と、リモコン端末５０（送信強度Ａ）→本体装置１０（受信感度Ｂ′）としていたが、これに限られない。他にも図１０に示すように、リモコン端末５０（送信強度Ｂ：第３電波送信強度）→本体装置１０（受信感度Ａ′：第３電波受信感度）と、本体装置１０（送信強度Ａ：第２電波送信強度）→リモコン端末５０（受信感度Ｂ′：第２電波受信感度）の組み合わせとしても同等の効果が得られる。
【００７０】
なお、本発明は、上記実施形態に限られるものではなく、その趣旨及び技術的思想を逸脱しない範囲内で種々の変形が可能である。以下、そのような変形例を説明する。
【００７１】
＜長時間通信のないペアリングを無効化する場合：その１＞
例えばユーザ個人が所有する携帯端末をリモコン端末５０として機能させる場合、前回ペアリングした本体装置１０の近くに今回ペアリングする本体装置１０が位置する場合、混信が生じてしまう。これを防ぐために、本体装置１０が一度確立したペアリングに対しても、長時間通信がない場合（日付が改まるくらいの長時間）にはそのペアリングを無効化する手法が有効である。
【００７２】
この手法を実現する本体装置１０の処理を図１１のフローに示す。これは、上記図８のフローにおけるステップＳＳ３０とステップＳＳ３５の間に、新たにステップＳＳ３３を追加している。つまり、ステップＳＳ３３で、本体装置１０のＣＰＵ２１は、ステップＳＳ２５で受信した通常通信用ＳＳＩＤを前回受信してから所定時間以上経過しているか否かを判定する。日付が改まるくらいに長時間経過していた場合、判定が満たされ（ＳＳ３３：ＹＥＳ）、そのままステップＳＳ４０に移る（処理要求情報を処理しない）。一方、所定時間以内であった場合、判定は満たされず（ＳＳ３３：ＮＯ）、ステップＳＳ３５に移って処理要求情報を処理する。このように一度付与した通常通信用ＳＳＩＤに対して継続使用するための有効期限を設定することで、上述した混信を抑制できる。
【００７３】
＜長時間通信のないペアリングを無効化する場合：その２＞
長時間通信がないペアリングを無効化する手法を実現するための他の本体装置１０の処理を、図１２のフローに示す。これは、上記図８のフローにおけるステップＳＳ２０とステップＳＳ２５の間に、新たにステップＳＳ２２とステップＳＳ２４を追加するとともに、ステップＳＳ３０とステップＳＳ３５の間に、新たにステップＳＳ３４を追加している。
【００７４】
つまり、本体装置１０のＣＰＵ２１は、認証処理中のステップＳＳ２２で通常通信用ＳＳＩＤと機器識別情報を対応付けて許可機器リスト（特に図示せず）に記録し、通常通信処理中のステップＳＳ２４で所定時間以上受信していない通常通信用ＳＳＩＤに対応する機器識別情報を許可機器リストから削除する。そして、ステップＳＳ３４で、ステップＳＳ２５で受信した通常通信用ＳＳＩＤに対応する機器識別情報の記録が許可機器リストに残っているか否かを判定する。許可機器リストに対応する機器識別情報の記録が残っていた場合、判定が満たされ（ＳＳ３４：ＹＥＳ）、ステップＳＳ３５に移って処理要求情報を処理する。一方、許可機器リストに対応する機器識別情報の記録が残っていなかった場合、判定は満たされず（ＳＳ３４：ＮＯ）、そのままステップＳＳ４０に移る（処理要求情報を処理しない）。このように一度記録した機器識別情報に対して継続使用するための有効期限を設定することで、上述した混信を抑制できる。
【００７５】
なお、上記実施形態や各変形例では、通常通信処理時においてリモコン端末５０から本体装置１０への情報送受のみ行っていた。しかしその逆方向での情報送受も行ってもよく、その場合にはリモコン端末５０にも通常通信用ＳＳＩＤを付与してもよい。このリモコン端末５０に付与する通常通信用ＳＳＩＤも非公開とすることがセキュリティ上好ましい。
【００７６】
また、以上既に述べた以外にも、上記実施形態や各変形例による手法を適宜組み合わせて利用してもよい。
【００７７】
その他、一々例示はしないが、本発明は、その趣旨を逸脱しない範囲内において、種々の変更が加えられて実施されるものである。
【符号の説明】
【００７８】
１                カラオケシステム（カラオケ用通信システム）
１０              本体装置
５０              リモコン端末（操作端末）
Ｒ１、Ｒ２        部屋
【図１】
0006024652.tif 000002
【図２】
0006024652.tif 000003
【図３】
0006024652.tif 000004
【図４】
0006024652.tif 000005
【図５】
0006024652.tif 000006
【図６】
0006024652.tif 000007
【図７】
0006024652.tif 000008
【図８】
0006024652.tif 000009
【図９】
0006024652.tif 000010
【図１０】
0006024652.tif 000011
【図１１】
0006024652.tif 000012
【図１２】
0006024652.tif 000013